(57)【要約】【課題】帽体の着脱操作時において異物がバックルに挟み込まれることを抑えることの可能な帽体用顎紐連結構造を提供する。【解決手段】顎紐１７の長さを調整する帽体用顎紐連結構造２０は、被押圧面である左側面２２Ｆを有する支持プレート２２と、支持プレート２２に回転可能に支持され、回転によって左側面２２Ｆに対する距離が変更される押圧面２８Ｆを有する操作レバー２６とを備える。そして、顎紐１７が、左側面２２Ｆと押圧面２８Ｆとの間に通されており、操作レバー２６が、回転によって締結位置に配置されると、顎紐１７を介して左側面２２Ｆを押圧面２８Ｆで押圧する。【選択図】図３
2012102436.tif 000002
【特許請求の範囲】
【請求項１】
帽体に取り付けられた耳紐に顎紐を連結する帽体用顎紐連結構造であって、
前記耳紐に連結される支持プレートと、
前記支持プレートの一面である被押圧面に面して該支持プレートに回転可能に支持される操作レバーとを備え、
前記操作レバーは、
該操作レバーの回転位置に応じて前記被押圧面との距離が変わる押圧面を有し、
前記顎紐は、
前記支持プレートの前記被押圧面と前記操作レバーの前記押圧面との間に通されて、前記押圧面と前記被押圧面との距離が短くなるように前記操作レバーが回転することによって、前記支持プレートに固定される
ことを特徴とする帽体用顎紐連結構造。
【請求項２】
前記支持プレートは、
前記被押圧面を有する基部と、
前記基部に立設される一対の支持部と、
前記支持部に形成された軸受け部とを有し、
前記操作レバーは、
前記軸受け部に軸支される回転軸を基端部に有する操作部と、
前記操作部の基端部から延出形成されて前記押圧面が先端に形成された押圧部と
を有する
請求項１に記載の帽体用顎紐連結構造。
【請求項３】
前記顎紐が前記支持プレートに支持される回転位置である締結位置に前記操作レバーが位置しているとき、前記操作レバーの先端部が前記基部の被押圧面から離れている
請求項２に記載の帽体用顎紐連結構造。
【請求項４】
前記支持プレートには、
前記顎紐が挿通される２つの挿通孔が、前記押圧面によって前記顎紐を介して押圧される箇所を挟むように設けられている
請求項２または３に記載の帽体用顎紐連結構造。
【請求項５】
前記押圧面に少なくとも１つの押圧歯が形成されている
請求項１〜４のいずれか一項に記載の帽体用顎紐連結構造。
【請求項６】
前記帽体には、互いに対向する第１の耳紐と第２の耳紐とが取り付けられ、
前記支持プレートは、前記第１の耳紐に連結され、
前記操作レバーは、前記支持プレートにて前記第２の耳紐とは反対側に配置される
請求項１〜５のいずれか一項に記載の帽体用顎紐連結構造。
【発明の詳細な説明】
【技術分野】
【０００１】
この発明は、帽体に取り付けられた耳紐に顎紐を連結する帽体用顎紐連結構造に関する。
【背景技術】
【０００２】
従来から、頭部を保護するためのヘルメットには、着用者の顎に掛け渡されて帽体を頭部に固定するための顎紐が取り付けられている。このような顎紐は、例えば、特許文献１に記載のように、雌バックルと雄バックとから構成されるバックルによって分離可能に連結されている。
【先行技術文献】
【特許文献】
【０００３】
【特許文献１】特開２０１０−４２１０１号公報
【発明の概要】
【発明が解決しようとする課題】
【０００４】
ところで、上述のようなバックルによって顎紐が連結される構成では、着用者の顎に掛けられる顎紐の長さが、着用者の顎に適した長さに前もって調整される。そのため、着用者が帽体を着用する際には、雌バックルに雄バックルを差し込むという差し込み操作が、着用者の顎とバックルとが接触するような状態で行われることになる。このようにして行われる差し込み操作では、顎下の一部や衣服の一部が雄バックルと雌バックルとの間に挟まれるという虞がある。そのうえ、顎の下に配置されるバックルを着用時に視認することができないため、大人と比べて手先が器用でない子供にとっては、差し込み操作を自分で行うことが困難となっている。
【０００５】
本発明は、上記実情を鑑みてなされたものであり、その目的は、帽体の着脱操作時において異物がバックルに挟み込まれることを抑えることの可能な帽体用顎紐連結構造を提供することにある。
【課題を解決するための手段】
【０００６】
上記課題を解決するために、この発明は、帽体に取り付けられた耳紐に顎紐を連結する帽体用顎紐連結構造であって、前記耳紐に連結される支持プレートと、前記支持プレートの一面である被押圧面に面して該支持プレートに回転可能に支持される操作レバーとを備え、前記操作レバーは、該操作レバーの回転位置に応じて前記被押圧面との距離が変わる押圧面を有し、前記顎紐は、前記支持プレートの前記被押圧面と前記操作レバーの前記押圧面との間に通されて、前記押圧面と前記被押圧面との距離が短くなるように前記操作レバーが回転することによって、前記支持プレートに固定されることを要旨とする。
【０００７】
上記構成の帽体用顎紐連結構造においては、顎紐の長さを変更する際には、押圧面と被押圧面との距離を操作レバーの回転で変えるだけでよい。それゆえに、例えば、雌バックルに雄バックルを差し込むという差込み操作が必要とされないため、帽体の着脱操作時における異物の挟み込み、特に着用者の顎下の一部や頬の一部をバックルに挟み込んでしまうことを抑えることが可能である。
【０００８】
また、この帽体用顎紐連結構造において、前記支持プレートは、前記被押圧面を有する基部と、前記基部における両端部に立設される一対の支持部と、前記支持部に形成される軸受け部とを有し、前記操作レバーは、前記軸受け部に軸支される回転軸を基端部に有す
る操作部と、前記操作部の基端部から延出形成され前記押圧面が先端に形成された押圧部とを有することを要旨とする。
【０００９】
具体的には、帽体用顎紐連結構造は、上述するような構成で具現化することが可能である。
この帽体用顎紐連結構造は、前記顎紐が前記支持プレートに支持される回転位置である締結位置に前記操作レバーが位置しているとき、前記操作レバーの先端部が前記基部の被押圧面から離れていることが好ましい。
【００１０】
ここで、操作レバーの先端が基部の被押圧面に接しているとなれば、該先端部に指が引っ掛かりにくいため、操作レバーが操作しづらい。この点、上記構成によれば、操作レバーの先端が被押圧面から離れているため、指が引っ掛かりやすくなる。その結果、操作レバーの操作性を向上することができる。
【００１１】
この帽体用顎紐連結構造において、前記支持プレートには、前記顎紐が挿通される２つの挿通孔が、前記押圧面によって前記顎紐を介して押圧される箇所を挟むように設けられていることが好ましい。
【００１２】
上記構成によれば、一方の挿通孔に挿通された顎紐は、押圧面と被押圧面との間を通って他方の挿通孔に挿通される。そのため、挿通孔の内面との摩擦によって顎紐が支持プレートに保持されやすくなる。その結果、操作レバーを締結位置へ操作している最中における顎紐の変位が抑えられて、顎紐の長さを精度よく調整することができる。
【００１３】
この帽体用顎紐連結構造では、前記押圧面に少なくとも１つの押圧歯が形成されていることが好ましい。
上記構成によれば、操作レバーが締結位置に位置しているとき、押圧歯の先端が顎紐に食い込むため、より大きな力で顎紐を被押圧面に押圧することができる。これにより、顎紐に作用した力によって操作レバーが回転してしまうことを抑えることができる。
【００１４】
この帽体用顎紐連結構造では、前記帽体には、互いに対向する第１の耳紐と第２の耳紐とが取り付けられ、前記支持プレートは、前記第１の耳紐に連結され、前記操作レバーは、前記支持プレートにて前記第２の耳紐とは反対側に配置されることが好ましい。
【００１５】
上記構成であれば、第１の耳紐に連結された支持プレートに対して、第２の耳紐とは反対側で操作レバーの回転操作が行われることになる。すなわち、着用者の顎や頬とは反対側で操作レバーの回転操作が行われるため、異物の挟み込み、特に顎下の一部や頬の一部をバックルに挟み込んでしまうこと効果的に抑えることができる。
【発明の効果】
【００１６】
本発明の帽体用顎紐連結構造によれば、帽体の着脱操作時において異物がバックルに挟み込まれることを抑えることが可能である。
【図面の簡単な説明】
【００１７】
【図１】本発明における帽体用顎紐連結構造を備えたヘルメットの正面側の斜視構造を示す斜視図。
【図２】ヘルメットにおける背面側の斜視構造を示す斜視図。
【図３】カムバックルと保持紐との連結の態様を示す分解斜視図。
【図４】保持紐が締結された状態におけるカムバックルの断面構造を示す断面図。
【図５】保持紐の締結が解除された状態におけるカムバックルの断面構造を示す断面図。
【図６】バイザーの斜視構造を示す斜視図。
【図７】正面側における帽体の内側の構造を示す平面図。
【図８】バイザーの装着する際の状態を示す図であって、衝撃吸収ライナーを省略して示した図。
【図９】バイザーが装着されたときの取り付け部と係合片との関係を示す図。
【図１０】バイザーを左方向へ移動させるときの取り付け部と係合片との関係を模式的に示す図。
【図１１】（ａ）支持板の左側面側における耳パッドの平面構造を示す平面図であって、グラフィックシールを省略して示した図、（ｂ）支持板のうら面側における耳パッドの平面構造を示す平面図。
【図１２】耳パッドの取り付け構造を示す斜視図。
【図１３】施錠部の分解斜視図。
【発明を実施するための形態】
【００１８】
以下、本発明の帽体用顎紐連結構造がヘルメットに適用された一実施形態について図を参照して説明する。図１に示されるように、ヘルメット１０における帽体１１では、ＡＢＳ樹脂からなる殻体１２が外殻として略半球形状に成形されている。この殻体１２の頂上部には、殻体１２の内側から外側までを貫通する複数の通気孔１２ａが、正面側から背面側に向けて２列に配列されている。
【００１９】
帽体１１の左側には、帯状をなす１本の左側耳紐１６Ｌが吊り下げられている。第１の耳紐である左側耳紐１６Ｌの全体は、略Ｖ字状に折り返されるとともに、この左側耳紐１６Ｌの両端部は、帽体１１の左側縁のうちで互いに異なる二箇所に連結されている。また、図２に示されるように、帽体１１の右側には、これもまた帯状をなす１本の右側耳紐１６Ｒが吊り下げられている。第２の耳紐である右側耳紐１６Ｒの全体は、略Ｖ字状に折り返されるとともに、この右側耳紐１６Ｒの両端部は、帽体１１の右側縁のうちで互いに異なる二箇所に連結されている。
【００２０】
左側耳紐１６Ｌの下端と右側耳紐１６Ｒの下端とには、これもまた帯状をなす１本の顎紐１７が連結されている。左側耳紐１６Ｌと顎紐１７とは、ポリアセタールからなるカムバックル２０を介して連結されている。また、右側耳紐１６Ｒと顎紐１７とは、これもまたポリアセタールからなる連結部材１８を介して連結されている。なお、これら左側耳紐１６Ｌ、右側耳紐１６Ｒ、及び顎紐１７によって、帽体１１を着用者の頭部に保持するための保持紐１５が構成されている。以下では、顎紐１７のうち、これら連結部材１８とカムバックル２０とを繋ぐ部分の長さを、顎紐１７の長さという。
【００２１】
次に、右側耳紐１６Ｒと顎紐１７との連結の態様について、図２の拡大図を参照して説明する。
図２に示されるように、前後方向に広がる扇板状の連結部材１８には、前後方向に延びる直線状の折り返し孔１８ａが貫通するとともに、この折り返し孔１８ａよりも帽体１１側（上側）には、前後方向に延びる円弧状の出入孔１８ｂが貫通している。右側耳紐１６Ｒは、これら折り返し孔１８ａと出入孔１８ｂとを介して、連結部材１８に巻装されている。詳述すると、右側耳紐１６Ｒは、連結部材１８の右側から出入孔１８ｂに挿通されるとともに、その連結部材１８の左側から折り返し孔１８ａに挿通されている。そして、折り返し孔１８ａに挿通された右側耳紐１６Ｒは、連結部材１８の右側から再び出入孔１８ｂに挿通されることで、連結部材１８に連結されている。また、顎紐１７の右側端部は、折り返し孔１８ａを介して連結部材１８に巻装されている。詳述すると、顎紐１７の右側端部は、連結部材１８の左側から折り返し孔１８ａに挿通されて該折り返し孔１８ａにて折り返されている。そして、折り返し孔１８ａにて折り返された顎紐１７は、留め具１９を介して自身に留められている。
【００２２】
図２に示されるように、前後方向に延びる板状の留め具１９には、前後方向に延びる直線状の挿通穴１９ａ，１９ｂが貫通している。顎紐１７は、留め具１９に形成されたこれら２つの挿通穴１９ａ，１９ｂに挿通されて、上述した折り返し孔１８ａで折り返されている。その折り返された部分は、上記２つの挿通穴１９ａ，１９ｂに再び挿通されている。これにより、顎紐１７は、その折り返された部分の長さが一定に保持された状態で連結部材１８に連結される。また、顎紐１７と右側耳紐１６Ｒとが、連結部材１８を介して連結される。なお、留め具１９に挿通されている顎紐１７が緩められることによって、顎紐１７の長さが調整される。
【００２３】
次に、左側耳紐１６Ｌと顎紐１７との連結の態様について、図３を参照して説明する。
図３に示されるように、カムバックル２０を構成する支持プレート２１には、前後方向に延びる板状の基部２２が形成されている。また、基部２２の上側には、扇板状をなす連結部２３が一体形成されている。この連結部２３には、前後方向に延びる折り返し孔２３ａと、該折り返し孔２３ａよりも帽体１１側（上側）に配置される出入孔２３ｂとが貫通している。左側耳紐１６Ｌは、これら折り返し孔２３ａ及び出入孔２３ｂを介してカムバックル２０に巻装されている。詳述すると、左側耳紐１６Ｌは、カムバックル２０の左側から出入孔２３ｂに挿通されるとともに、同カムバックル２０の右側から折り返し孔２３ａに挿通されている。そして、折り返し孔２３ａに挿通された左側耳紐１６Ｌは、カムバックル２０の左側から再び出入孔２３ｂに挿通されることで、カムバックル２０に連結されている。また、顎紐１７の左側端部は、折り返し孔２３ａを介してカムバックル２０に巻装されている。詳述すると、顎紐１７の左側端部は、カムバックル２０の右側面２２Ｂ側から折り返し孔２３ａに挿通されて該折り返し孔２３ａにて折り返されている。そして、折り返し孔２３ａにて折り返された顎紐１７は、カムバックル２０に留められている。
【００２４】
図３に示されるように、基部２２には、前後方向に延びる引き出し孔２２ａが貫通している。この引き出し孔２２ａには、折り返し孔２３ａにて折り返された顎紐１７が、被押圧面としての左側面２２Ｆ側から挿通される。この引き出し孔２２ａから引き出された顎紐１７の余剰部分１７ｒでは、その先端部に折り返し縫いが施されている。また、基部２２における前後方向の両側部には、一対の支持部２４が互いに対向するように立設されている。各支持部２４における連結部２３側には、これもまた互いに対向する軸受け部としての軸挿通孔２５が貫通している。これら一対の軸挿通孔２５には、操作レバー２６が回転可能に支持される。
【００２５】
操作レバー２６は、支持プレート２１にて右側耳紐１６Ｒとは反対側に配置されている。操作レバー２６の下側には、支持プレート２１に向けて突出した半円筒状の操作部２７が形成され、また、操作部２７の上側には、該操作部２７の上端から支持プレート２１に向けて屈曲した板状の押圧部２８が一体形成されている。操作部２７は、例えば着用者によって操作される部位であって、その基端部における側面の各々には、回転軸２７Ａが突設されている。この回転軸２７Ａは、支持部２４に形成された軸挿通孔２５に挿通される。押圧部２８において支持プレート２１に向かう先端には、前後方向に配列された複数の押圧歯２８ａ（本実施形態では６個）からなる押圧面２８Ｆが形成されている。そして、折り返し孔２３ａで折り返された顎紐１７は、基部２２の左側面２２Ｆと操作レバー２６の押圧面２８Ｆとの間を通って引き出し孔２２ａから引き出されている。
【００２６】
こうした構成のカムバックル２０によれば、図４に示されるように、回転軸２７Ａを中心にして操作部２７の下端が基部２２に向けて回転すると、押圧部２８の押圧面２８Ｆは、押圧歯２８ａの先端を顎紐１７に食い込ませつつ、顎紐１７の上から基部２２の左側面を押圧する。すなわち、顎紐１７は、押圧部２８の押圧面２８Ｆによって、基部２２の左側面２２Ｆに押さえ付けられる。なお、この際に顎紐１７が受ける押圧力は、カムバック
ル２０に対して顎紐１７が固定されるのに十分な力であり、このように押圧面２８Ｆが顎紐１７を押さえ付けている状態をカムバックル２０の締結状態という。また、このときの操作レバー２６の位置を締結位置というとともに、操作レバー２６は締結位置よりも基部２２に向かって回転しないようになっている。
【００２７】
また、図４に示されるように、押圧面２８Ｆを構成する押圧歯２８ａの先端面は、締結位置において顎紐１７に面接触する平坦面に形成されている。この先端面は、折り返し孔２３ａ側の端と回転軸２７Ａの中心Ｃとを結ぶ仮想線ＳＬが、先端面の任意の点と回転軸２７Ａの中心Ｃとを結ぶ仮想線のうちで最も長くなるように形成されている。すなわち、操作レバー２６が回転する際、折り返し孔２３ａ側の端が回転軸２７Ａの中心に対して最も遠い軌跡を辿るように形成されている。
【００２８】
こうした構成によれば、締結位置まで操作レバー２６を回転させる際には、上記先端面における折り返し孔２３ａ側の端を回転軸２７Ａと支持プレート２１との間を通過させる必要がある。その際に必要となる力は、操作レバー２６を締結位置まで回転させる過程において最も大きい。そのため、操作レバー２６を締結位置まで回転したかどうかを、カムバックル２０の操作者に対して触覚を通じて通知することができる。また、押圧歯２８ａの先端を顎紐１７に食い込ませることで、締結状態にある顎紐１７が、押圧面２８Ｆと左側面２２Ｆとに対して摺動してしまうことを確実に抑えることができる。つまり、操作レバー２６が締結位置よりも基部２２に向かって回転しないようになっていること、締結状態では顎紐１７が押圧面２８Ｆと左側面２２Ｆとに対して摺動しにくくなっていること、これらによって、締結状態において顎紐１７の長さを長くするような顎紐１７の変位を抑えることができる。
【００２９】
一方、締結位置にある操作レバー２６が、カムバックル２０を解除状態にする方向に回転しようとすると、上記先端面における折り返し孔２３ａ側の端によって顎紐１７に対する押圧力が高められる。すなわち、締結位置まで回転させた操作レバー２６は、カムバックル２０を解除状態にする方向へ回転しにくい構成となっている。つまり、締結位置にある操作レバー２６がカムバックル２０を解除状態にする方向へ回転しにくいこと、押圧面２８Ｆと左側面２２Ｆとに対して摺動しにくいこと、これらによって、締結状態において顎紐１７の長さを短くするような顎紐１７の変位を抑えることができる。
【００３０】
すなわち、上述した締結状態においては、顎紐１７がカムバックル２０の右側あるいは左側から引っ張られるとしても、顎紐１７の長さは変わらず、該顎紐１７の長さが一定に保持され続けることとなる。
【００３１】
これに対して、図５に示されるように、回転軸２７Ａを中心にして操作部２７の下端が基部２２から連結部２３に向けて回転すると、押圧部２８の押圧面２８Ｆが基部２２の左側面２２Ｆから遠ざけられる。この状態においては、顎紐１７がカムバックル２０の右側あるいは左側から引っ張られることによって、顎紐１７の長さが変えられる。なお、このように押圧面２８Ｆが基部２２の左側面２２Ｆから離間した状態をカムバックル２０の解除状態という。
【００３２】
次に、上述した構成のヘルメット１０の作用について、大人が幼児にヘルメット１０を着用させる場合を例にとって説明する。なお、ヘルメット１０は、前回の脱いだ直後の状態、すなわちカムバックル２０が解除状態にあるとともに顎紐１７が十分な長さを有した状態にある。
【００３３】
まず、帽体１１を幼児の頭部に被せた後に、顎紐１７を幼児の顎の下に配置する。この際、顎紐１７が十分な長さを有していることから、顎紐１７を容易に顎の下に配置するこ
とが可能である。また、カムバックル２０には左側耳紐１６Ｌが連結される連結部２３が一体形成されていることから、カムバックル２０が顎の下ではなく耳元に配置されることになる。そのため、カムバックル２０を操作する際に幼児の顎の下を覗き込むことを回避することができる。
【００３４】
続いて、カムバックル２０の引き出し孔２２ａから出ている顎紐１７の余剰部分１７ｒを引っ張って顎紐１７の長さを短くする。ここで、顎紐１７の長さを短くすることは、右側耳紐１６Ｒ側にある留め具１９において行うことが可能ではあるものの、該留め具１９においては両手を使った複雑な操作が必要であるため非常に面倒である。これは、雌バックルに雄バックルを差し込む構成のバックルにおいても同様である。これに対して、上述した構成のカムバックル２０では、カムバックル２０の引き出し孔２２ａから引き出されている顎紐１７の余剰部分１７ｒを引っ張るだけという簡単な操作で顎紐１７の長さを短くすることが可能である。
【００３５】
そして、操作部２７を基部２２に向けて回転させてカムバックル２０を締結状態にすることによりヘルメット１０の着用が終了する。ここで、雌バックルに雄バックルを差し込む構成においては、バックルを締結状態にするために雌バックルと雄バックルとを別々の手で操作する必要がある。この点、上述したカムバックル２０においては、締結状態するための操作が操作部２７の回転であるため片手だけで行うことが可能である。
【００３６】
そのうえ、カムバックル２０は、締結状態にする場合であれ、解除状態にする場合であれ、常に、基部２２及び連結部２３の右側面２２Ｂが着用者に対向する状態が維持される。すなわち、カムバックル２０を操作する際に、構成部材の移動や当接が着用者側で行われることがない。それゆえに、カムバックル２０を操作する際に衣服や皮膚の一部といった異物がカムバックル２０に挟まれることを抑えることができる。
【００３７】
以上説明したように、上述した帽体用顎紐連結構造によれば、以下に列挙する効果が得られるようになる。
（１）操作部２７を用いて操作レバー２６を回転するだけで、カムバックル２０を解除状態あるいは締結状態にすることが可能である。すなわち、カムバックル２０を操作する際に、一方の部材に他方の部材を差し込むという差し込み操作が必要ないばかりか、構成部材の移動や当接が着用者側で行われることがない。これにより、その差し込み操作が必要ない分だけ、異物の挟み込み、特に着用者の顎下の一部や頬の一部をバックルに挟み込んでしまうことを抑えることが可能である。
【００３８】
（２）また、カムバックル２０において、顎紐１７の長さを変更する際に必要な操作は操作レバー２６の回転だけである。その回転は片手で行うことも可能であり、また差し込み操作のように、バックルを視認し続ける必要もない。それゆえに、差し込み操作が必要なバックルに比べて、異物の挟み込みを抑えることができるとともに、簡単な操作の下で顎紐１７の長さを調整することができる。
【００３９】
（３）また、カムバックル２０は、左側耳紐１６Ｌに連結されているとともに、右側耳紐１６Ｒとは反対側で操作レバー２６の回転操作が行われるように構成されている。こうした構成によれば、着用者の顎や頬とは反対側で操作レバー２６の回転操作が行われるため、異物の挟み込み、特に顎下の一部や頬の一部をバックルに挟み込んでしまうことを効果的に抑えることができる。
【００４０】
（４）操作部２７の先端部を基部２２の左側面２２Ｆから離れるように湾曲させることによって、操作部２７の操作性を向上させることができる。
（５）カムバックル２０において顎紐１７は、折り返し孔２３ａで折り返され、基部２
２の左側面２２Ｆと操作レバー２６の押圧面２８Ｆとの間を通って引き出し孔２２ａから引き出される。そのため、カムバックル２０が解除状態であっても、折り返し孔２３ａ及び引き出し孔２２ａの内周面の一部と顎紐１７との摩擦によって、顎紐１７が支持プレート２１に保持されやすくなる。その結果、操作部２７の操作中に顎紐１７の長さが変化することが抑えられることから、顎紐１７の長さを精度よく調整することができる。
【００４１】
（６）カムバックル２０の支持プレート２１には、左側耳紐１６Ｌが連結される連結部２３が形成されていることから、カムバックル２０を着用者の耳元に配置することができる。その結果、着用者以外の人物によってカムバックル２０が視認されやすくなる。
【００４２】
（７）押圧面２８Ｆに複数の押圧歯２８ａが形成されていることで、より大きな力で顎紐１７を被押圧面である基部２２の左側面２２Ｆに押圧することができる。
（８）上述したヘルメット１０においては、顎紐１７の長さを調整可能な部材として、上記バックルの他、留め具１９が設けられている。こうした構成であれば、留め具１９において顎紐１７の長さをおおまかに調整し、カムバックル２０において顎紐１７の長さを微調整することも可能である。
【００４３】
なお、上述した構成の帽体用顎紐連結構造は、以下のように適宜変更して実施することもできる。
・押圧面２８Ｆは、押圧歯２８ａが割愛された平面や曲面であってもよい。
【００４４】
・押圧歯２８ａの形状は、押圧面２８Ｆに凹凸を設けるものであればよい。例えば、押圧歯２８ａの先端面において引き出し孔２２ａ側に位置する端が、回転軸２７Ａの中心Ｃから最も離れた位置になるように形成されていてもよい。
【００４５】
・押圧部２８の押圧によって顎紐１７が基部２２に押さえ付けられる構成であれば、例えば押圧歯２８ａが割愛される構成であってもよい。また、押圧歯２８ａの個数は、このように押圧部２８の押圧によって顎紐１７が基部２２に押さえ付けられる個数であれば、必要に応じて適宜変更してもよい。また、押圧歯２８ａの配列も同じく、必要に応じて適宜変更してもよく、例えばマトリクス状であってもよい。
【００４６】
・耳紐に連結される支持プレート２１に操作レバー２６が回転可能に連結される構成であれば、互いに異なる複数の部材の連結体として一つの支持プレート２１が構成されてもよい。例えば、被押圧面である左側面２２Ｆを有する基部２２と左側耳紐１６Ｌが連結される連結部２３とが別部材で構成されて、これらが互いに連結されることによって支持プレート２１が構成されてもよい。
【００４７】
・押圧面２８Ｆと基部２２との間に顎紐１７が通されることによって、この顎紐１７が基部２２に固定される構成であればよい。例えば、基部２２において引き出し孔２２ａが割愛されて、押圧面２８Ｆと基部２２との間に通される顎紐１７が基部２２の上下方向から引き出される構成であってもよい。
【００４８】
・操作レバー２６が締結位置に位置しているとき、操作部２７の先端部が左側面２２Ｆに接している構成であってもよい。
・連結部２３においては、折り返し孔２３ａの内側面のうちで左側耳紐１６Ｌと接触する部位に、１つあるいは複数の突起が設けられていてもよい。こうした構成であれば、左側耳紐１６Ｌに沿うようにカムバックル２０が移動しようとする際、上記突起に左側耳紐１６Ｌが食い込むことになることから、左側耳紐１６Ｌに沿ってカムバックル２０が移動することを抑えることができる。なお、左側耳紐１６Ｌに上記突起を食い込みやすくするうえでは、折り返し孔２３ａの開口に近づくほど突起の厚さが大きくなるような形状が好
ましい。
【００４９】
・一対の支持部２４の内側面に嵌合凹部が形成され、また、一対の支持部２４の内側面と対向する操作レバー２６の外側面に嵌合凸部が形成され、そして、操作レバー２６が締結位置に配置されると、これら嵌合凹部と嵌合凸部とが嵌合する構成であってもよい。すなわち、カムバックル２０を締結位置にロックするロック機構がカムバックル２０に設けられていてもよい。こうした構成であれば、操作レバー２６を確実に締結位置に保持することができる。
【００５０】
・カムバックル２０は、右側耳紐１６Ｒに連結される構成であってもよい。
・カムバックル２０は、ヘルメット１０だけではなく、頭部に被せた帽体を顎紐で保持するものに対して適用可能である。なお、帽体とは、頭部に被せるものであればよく、例えば布製の作業用帽子であってもよい。
【００５１】
（他の実施形態）
ところで、ヘルメットの中には、日差しを避けるためのバイザーが設けられているものもある。バイザーは、殻体と一体形成することが可能ではあるものの、殻体の形状が複雑になってしまうばかりか、バイザーの形状も限られたものとなってしまう。またバイザーは、着用者の前方上部における視界の一部を遮ってしまうこともあるため、必要に応じて着脱可能なバイザーが強く望まれていた。こうした問題に解決すべく、上述したヘルメット１０においては、バイザーが着脱可能に構成されている。以下では、バイザーをヘルメット１０に着脱可能にする構成について詳しく説明する。
【００５２】
まず、この実施形態にて把握される技術的思想について以下に付記する。
［付記１］
半球状の帽体にバイザーを取り付けるバイザーの取付構造であって、
前記帽体は、
帽体周縁から帽体頂部に向けて凹設され前記帽体の周方向に円弧状に延びる差込溝と、
前記帽体の周方向にて前記差込溝の両端に形成されて前記帽体周縁から前記帽体頂部に向けて延びる断面Ｌ字状の係合片とを有し、
前記バイザーは、
前記差込溝に沿った円弧状の端辺を有する鍔と、
前記鍔の前記端辺に立設されて円弧状に曲げられた帯状の差込帯とを有し、
前記帽体の周方向にて前記差込帯の両端部には、
前記端辺側に規制爪が凸設され、且つ前記端辺側とは反対側に係止爪が凸設され、
前記差込溝に前記差込帯が差し込まれた状態では、
前記係合片における前記帽体頂部側の端と前記係止爪とが係合し、且つ前記係合片における前記帽体周縁側の端と前記規制爪とが係合することにより前記バイザーが着脱可能に固定される
ことを特徴とするバイザーの取付構造。
【００５３】
上記構成によれば、帽体に対してバイザーを着脱可能にすることができる。
［付記２］
前記係止爪の肉厚は、前記端辺側、及び当該端辺側の反対側において小さくなる
付記１に記載のバイザーの取付構造。
【００５４】
ここで、差込帯を差込溝に差し込む際、係止爪は、断面Ｌ字状の係合片が形成する隙間を弾性変形した状態で通過する。上記構成によれば、差込帯を差込溝に差し込む際、あるいは差込帯を差込溝から引き抜く際に、係止爪が徐々に弾性変形する。そのため、帽体からバイザーが抜け落ちることを抑えつつ、バイザーを帽体に差し込む際の負荷やバイザー
を帽体から引き抜く際の負荷を小さくすることができる。
［付記３］
前記係合片における前記帽体頂部側の端は、前記帽体の周方向における前記差込溝の中央側に位置する部位が前記帽体頂部側に位置するように傾斜している
付記１または２に記載のバイザーの取付構造。
【００５５】
上記構成によれば、バイザーの変位を確実に抑えることができる。
なお、本実施形態において、上記係合片は、側壁３８と対向壁３９とで構成されている。
【００５６】
図１に示すように、バイザー３０は、ヘルメット１０の正面側に取り付けられる。バイザー３０は、図６に示されるように、ポリエチレンによって一体成形された鍔３１と差込帯３２とを備えている。差込帯３２は、帽体１１に設けられた差込溝３６に差し込まれる部位であって、鍔３１における円弧状の縁（端辺）から上方に向かって屈曲形成されている。差込帯３２には、その裏面３２Ｂの左端部及び右端部に、バイザー３０を帽体１１に取り付けるための取り付け部３３が設けられている。取り付け部３３は、差込帯３２の基端側に凸設された規制爪３４と、差込帯３２の先端側に凸設された係止爪３５とによって構成されている。係止爪３５は、その上下方向における中央付近の突出量が最も大きくなるように傾斜部３５Ｕ，３５Ｄが設けられている。
【００５７】
一方、帽体１１には、図７に示されるように、衝撃吸収ライナー１３の外表面に形成された凹部１３Ｃと殻体１２とによって差込溝３６が形成されている。差込溝３６は、帽体１１の周縁に沿うように円弧状に延出形成され、バイザー３０の差込帯３２が差し込まれることに対して十分な深さと幅とを有している。殻体１２には、差込溝３６の右端部及び左端部であって差込帯３２に形成された取り付け部３３に対応する位置に係合片３７が設けられている。図８に示されるように、係合片３７は、差込帯３２が差し込まれる方向、すなわち帽体１１の周縁から頂部に向かう方向に沿って断面Ｌ字状に延出形成され、殻体１２に連なる側壁３８と殻体１２の内面１２Ａに対向する対向壁３９とで構成されている。係合片３７は、殻体１２と対向壁３９との間隔が、係止爪３５を含まない差込帯３２の肉厚よりも大きく、かつ、係止爪３５を含む差込帯３２の肉厚よりも小さくなるように形成されている。また対向壁３９の上端には、側壁３８に近づくほど殻体１２の開口縁に近づく傾斜３９Ｓが形成されている。
【００５８】
そして、図９に示されるように、バイザー３０の差込帯３２が差込溝３６に差し込まれると、係止爪３５が係合片３７の上端と係合するとともに規制爪３４が係合片３７の下端に当接する。これにより、バイザー３０が殻体１２に取り付けられる。この取り付け過程において係止爪３５は、殻体１２と対向壁３９との隙間を弾性変形した状態で通過する。この際、係止爪３５の上端部に設けられた傾斜部３５Ｕは、係合片３７の対向壁３９に当接することで係止爪３５を弾性変形させるガイドとして機能する。
【００５９】
一方、帽体１１に取り付けられたバイザー３０は、差込帯３２を差し込む方向とは反対方向に引っ張られることで帽体１１から取り外される。この取り外し過程において、係止爪３５の下端部に設けられた傾斜部３５Ｄは、係合片３７の対向壁３９に当接することで係止爪３５を弾性変形させるガイドとして機能する。
【００６０】
ここで、帽体１１に取り付けられたバイザー３０には、走行時の空気抵抗等に基づく外力が鍔３１全体に作用する。こうした外力は、差込溝３６から差込帯３２が引き抜かれる方向とは異なる方向で作用する力である。そのため、上記力を受けたバイザー３０においては、差込帯３２が殻体１２あるいは衝撃吸収ライナー１３に押し付けられることとなる。すなわち、バイザー３０は、差込溝３６から差込帯３２を引き抜く方向とは異なる方向
で作用する外力に対して、帽体１１から外れにくい取り付け構造で取り付けられている。
【００６１】
また、帽体１１に取り付けられたバイザー３０には、例えば鍔３１の中央部のみを把持してヘルメット１０を頭部に被せようとする場合には、鍔３１の中央部のみが把持されることにともなう局所的な力な作用する。こうした外力を受けたバイザー３０においては、差込帯３２の右端部及び左端部の各々が中央に向かって引きつけられる。そして、係止爪３５と係合片３７との係合が解除される位置まで差込帯３２の端部が移動してしまうと、バイザー３０が帽体１１から外れてしまうことになる。しかし、こうした差込帯３２の端部の移動は、係合片３７の対向壁３９の上端に設けられている傾斜３９Ｓによって抑えることが可能である。この傾斜３９Ｓの作用について図１０を用いて説明する。
【００６２】
図１０に示されるように、差込帯３２が左方向へ移動しようとする場合、右端部の係止爪３５は、同図１０に二点差線で示すように、係合片３７の対向壁３９に形成された傾斜３９Ｓに沿って左方向だけでなく上方向にも移動することになる。これにともない、右端部の規制爪３４も、同図１０に二点鎖線で示すように、上記傾斜３９Ｓに沿うように左方向だけでなく上方向にも移動することになる。すなわち、差込帯３２を左方向へ移動させるためには、
（イ）係止爪３５の左方向への移動
（ロ）係止爪３５の上方向への移動
（ハ）規制爪３４の左方向への移動
（ニ）規制爪３４の上方向への移動
これら４つの条件が必須である。
【００６３】
しかしながら、規制爪３４は、係合片３７に係止爪３５が係合しているとき、対向壁３９の下端に当接しているため、上方向への移動が該対向壁３９で規制されている。すなわち、上述した条件のうち、
（ニ）規制爪３４の上方向への移動
が実現困難である。それゆえに、差込帯３２の左方向への移動を規制することができる。同様に、差込帯３２の右方向への移動も左端部の取り付け部３３及び係合片３７で規制することができる。すなわち、係合片３７の対向壁３９の上端に傾斜３９Ｓを設けるとともに、取り付け部３３に係止爪３５と規制爪３４とを設けることによって、バイザー３０の左右方向への移動を抑えることができる。それゆえに、バイザー３０は、鍔３１に局所的な力が作用した場合にも帽体１１から外れにくい取り付け構造で取り付けられている。
【００６４】
以上説明したように、上述した構成のヘルメット１０によれば、以下に列挙する効果が得られるようになる。
（１）バイザー３０は、鍔３１の縁から上方に向かって屈曲形成され、帽体１１に設けられた差込溝３６に差し込まれる差込帯３２を有している。この差込帯３２の裏面３２Ｂにおける右端部及び左端部には、係止爪３５と規制爪３４とで構成された取り付け部３３がそれぞれ設けられている。一方、帽体１１には、差込溝３６の右端部及び左端部であって、上記取り付け部３３に対応する位置に係合片３７が設けられている。
【００６５】
こうした構成によれば、差込帯３２が差込溝３６に差し込まれると、係止爪３５が係合片３７の上端と係合するとともに規制爪３４が係合片の下端に当接することから、帽体１１にバイザー３０を取り付けることができる。また、差込方向とは反対方向に差込帯３２が引っ張られることによって、係止爪３５と係合片３７の上端との係合が解除されてバイザー３０を帽体１１から取り外すことができる。
【００６６】
（２）また、差込溝３６から差込帯３２が引き抜かれる方向とは異なる方向で作用する外力に対しては、差込帯３２が殻体１２あるいは衝撃吸収ライナー１３に押し付けられる
こととなる。すなわち、バイザー３０は、上記方向で作用する外力に対しては帽体１１から外れにくい構造で取り付けられている。
【００６７】
（３）係止爪３５には、上下方向における中央付近の突出量が最も大きくなるように傾斜部３５Ｕ，３５Ｄが設けられている。こうした構成によれば、係止爪３５を弾性変形させる際のガイドとして傾斜部３５Ｕ，３５Ｄを機能させることができる。すなわち、差込帯３２を差込溝３６に差し込む際、あるいは差込帯３２を差込溝３６から引き抜く際に、係止爪３５を徐々に弾性変形させることができる。そのため、帽体１１からバイザー３０が抜け落ちることを抑えつつ、バイザー３０を帽体１１に差し込む際の負荷やバイザー３０を帽体１１から引き抜く際の負荷を小さくすることができる。
【００６８】
（４）係合片３７は、断面Ｌ字状に形成されて、殻体１２に連なる側壁３８と、側壁３８から屈曲形成されて殻体１２の内面１２Ａと対向する対向壁３９とで構成されている。そして対向壁３９の上端には、側壁３８に近づくほど殻体１２の開口縁に近づく傾斜３９Ｓが形成されている。こうした構成によれば、係合片３７に対する係止爪３５及び規制爪３４の協働によって、バイザー３０の左右方向への移動を抑えることができる。
【００６９】
なお、上述した構成のバイザー３０は、以下のように適宜変更して実施することもできる。
【００７０】
・係合片３７は、対向壁３９の傾斜３９Ｓが割愛された構成であってもよい。
・係止爪３５は、傾斜部３５Ｕ，３５Ｄが割愛された構成であってもよい。
・取り付け部３３には、対向壁３９の側面に当接してバイザー３０の左右方向の移動を規制する規制片がさらに形成されていてもよい。
【００７１】
・取り付け部３３は、規制爪３４が割愛されて、係止爪３５でのみ構成されていてもよい。
・上述した取り付け構造を用いて帽体１１の背面側にバイザーが取り付け可能であってもよい。これにより、後方からの日差しによって着用者の首もとが照らされることもない。
・帽体は、頭部に被せるものであればよく、例えば布製の作業用帽子であってもよい。
【００７２】
（他の実施形態）
ところで、ヘルメットにおいては、耳を保護するための耳パッドが着脱可能に取り付けられるものもある。こうした耳パッドに関しては、様々な提案がなされているものの、より簡易な着脱方法が強く望まれていた。また、本発明者は、着脱可能であることに着目して耳パッドのデザイン性を向上させる方策を見出した。以下では、耳パッドの着脱方法、ならびにデザイン性を向上させる方策について説明する。なお、着用者の右耳に対応する耳パッドと左耳に対応する耳パッドは、基本的には同じ構成である。そのため、左耳に対応する耳パッドを用いて説明し、右耳に対応する耳パッドについての詳細な説明は省略する。
【００７３】
まず、この実施形態にて把握される技術的思想について以下に付記する。
［付記４］
半球状の帽体に着脱可能な耳当て具の取付構造であって、
前記帽体は、
帽体周縁から垂れ下がる耳紐と、
前記耳紐に設けられた係合部と、
前記帽体周縁から帽体頂部に向けて凹設され前記帽体の周方向に円弧状に延びる溝と
を有し、
前記耳当て具は、
前記溝に収容される収容部を有する支持板と、
前記支持板における前記耳紐とは反対側の面に取り付けられる保温材と、
前記支持板における前記耳紐側の面に設けられ前記係合部と係合する被係合部と、
を有し、
前記帽体の溝に前記収容部が収容されると前記帽体に対して仮固定され、
前記被係合部に前記係合部が係合されることにより前記帽体に取り付けられる
ことを特徴とする耳当て具の取付構造。
【００７４】
上記記載によれば、簡易な操作の下で帽体に対して耳当て具を着脱することができる。しかも、帽体に設けた溝に支持板の一部である収容部を収容させることによって、帽体に対して耳当て具が仮固定されることから、帽体を被ったあとでも容易に耳当て具を取り付けることができる。
［付記５］
前記支持板における前記耳紐側の面には、着脱自在のグラフィックシールが貼付される付記４に記載の耳当て具。
【００７５】
上記構成によれば、耳当て具のデザイン性を向上させることができる。
なお、本実施形態において、上記耳当て具は耳パッド５０に、上記耳紐側の面は左側面５１Ｆ、上記耳紐とは反対側の面はうら面５１Ｂ、上記係合部は雄ボタン５４に、上記被係合部は雌ボタン５３に相当する。
【００７６】
図１に示すように耳パッド５０はヘルメット１０に取り付けられる。耳パッド５０は、帽体１１と左側耳紐１６Ｌとによって囲まれる部分が覆われるような大きさ、言い換えれば着用者の耳が覆われるような大きさで形成されている。耳パッド５０は、その一部を帽体１１に差し込んだ状態で左側耳紐１６Ｌに支持されることでヘルメット１０に取り付けられる。
【００７７】
図１１（ａ）に示されるように、耳パッド５０は、ポリエチレンで成形された略扇形状をなす支持板５１を有しており、この支持板５１のうちで扇形状の円弧部分に沿う周縁部を収容部５２としている。収容部５２は、殻体１２と衝撃吸収ライナー１３とによって形成された溝（図示せず）に差し込まれる部位であって、その差込によって耳パッド５０を帽体１１に仮固定することが可能である。また支持板５１の左側面５１Ｆには、２つの雌ボタン５３が設けられている。２つの雌ボタン５３は、左側耳紐１６Ｌに設けられた雄ボタン５４と嵌合される。これによって、耳パッド５０が左側耳紐１６Ｌに支持される。すなわち、耳パッド５０は帽体１１及び左側耳紐１６Ｌに支持される。
【００７８】
また支持板５１には、その略中央付近に複数の貫通孔５５が設けられている。貫通孔５５は、耳パッド５０をヘルメット１０に取り付けた場合であっても、着用者に周囲の音が聞こえにくくならないようにする。
【００７９】
一方、図１１（ｂ）に示されるように、支持板５１のうら面５１Ｂには、収容部５２を回避するように保温材５６が取り付けられている。保温材５６は、例えばポリプロピレンからなる発泡成形体をメッシュカバーで覆ったものであって、ある程度の厚みと弾性とを有するかたちで形成されることで着用者への密着性が高められている。
【００８０】
そして、図１２に示されるように、支持板５１の収容部５２を殻体１２と衝撃吸収ライナー１３との溝に差し込むことで耳パッド５０を帽体１１に仮固定した状態で、雌ボタン５３と左側耳紐１６Ｌの雄ボタン５４とを嵌合させることで耳パッド５０が帽体１１に取り付けられる。
【００８１】
こうした構成によれば、耳パッド５０を帽体１１に仮固定させたときに、耳パッド５０の雌ボタン５３と左側耳紐１６Ｌの雄ボタン５４とが大凡対向することになる。それゆえに、たとえヘルメット１０を着用したあとであっても、雌ボタン５３と雄ボタン５４との嵌合操作を容易に行うことができる。
【００８２】
また、この耳パッド５０においては、同図１２に示されるように、支持板５１の左側面にグラフィックシール５７を貼り付けることが可能となっている。このグラフィックシール５７には、支持板５１の雌ボタン５３及び貫通孔５５の位置に対応する位置に露出孔５８がそれぞれ設けられている。
【００８３】
ここで、支持板５１の左側面５１Ｆを例えばサンドペーパーのような細かな凹凸を有する凹凸面にすると、グラフィックシール５７はその凸面のみと接着されることになる。こうした構成においては、支持板５１とグラフィックシール５７との接着力を十分に確保することが困難になるため、グラフィックシール５７が支持板５１から剥がれやすくなる。そのため、支持板５１の左側面５１Ｆは、凹凸の少ない滑らかな面で構成されている。そして、支持板５１及びグラフィックシール５７は、これらの間で適度な接着力を保ちつつ、支持板５１からグラフィックシール５７を剥がすときには容易に剥がすことができるように次のように構成することが好ましい。
・支持板５１
材質：軟質ポリエチレン
十点平均粗さ：Ｒｚ＝１０〜５０μｍ
・グラフィックシール５７
シール台紙：特殊ポリエチレン
粘着材：アクリル系粘着材
こうした構成によって、グラフィックシール５７は、支持板５１の左側面５１Ｆに対して付け替え可能となっている。これにより、例えばユーザー好みのグラフィックシール５７を貼り付けることが可能になり、耳パッド５０のデザイン性を大幅に向上させることができる。しかも、グラフィックシール５７のデザインを、例えばその時々における人気のキャラクターにすることによって、ヘルメットの着用意欲、ひいては交通安全に対する意識を幼少期から高めることができる。
【００８４】
こうした構成の耳パッド５０によれば、以下に列挙する効果が得られるようになる。
（１）耳パッド５０は支持板５１を有し、該支持板５１には左側耳紐１６Ｌに設けられた雄ボタン５４に嵌合する雌ボタン５３が設けられている。こうした構成によれば、耳パッド５０の雌ボタン５３に左側耳紐１６Ｌの雄ボタン５４を嵌合させることにより、耳パッド５０を左側耳紐１６Ｌに支持させることができる。すなわち、耳パッド５０の雌ボタン５３と左側耳紐１６Ｌの雄ボタン５４との嵌合、あるいはその嵌合の解除という簡易な操作の下でヘルメット１０に対して耳パッド５０を着脱することができる。
【００８５】
（２）耳パッド５０の支持板５１には、殻体１２と衝撃吸収ライナー１３とによって形成された隙間に差し込まれる収容部５２が設けられている。こうした構成によれば、耳パッド５０の雌ボタン５３に左側耳紐１６Ｌの雄ボタン５４を嵌合させる前に耳パッド５０を帽体１１に対して仮固定することができる。このとき、耳パッド５０の雌ボタン５３と左側耳紐１６Ｌの雄ボタン５４とが大凡対向することになる。それゆえに、たとえヘルメット１０を着用したあとであっても、雌ボタン５３と雄ボタン５４との嵌合操作を容易に行うことができる。
【００８６】
（３）支持板５１を軟質ポリエチレンで形成するとともに、その左側面５１Ｆを十点平均粗さＲｚ＝１０〜５０μｍとした。また、シール台紙に特殊ポリエチレン、粘着材にア
クリル系粘着材を用いてグラフィックシール５７を形成した。こうした構成によれば、支持板５１とグラフィックシール５７との間の接着力を保ちつつ、該グラフィックシール５７を剥がすときには容易に剥がすことができる。その結果、グラフィックシール５７の付け替えが可能になることから、耳パッド５０のデザイン性を向上させることができる。
【００８７】
（４）また、グラフィックシール５７のデザインを例えばその時々における人気のキャラクターにすることによって、ヘルメットの着用意欲、ひいては交通安全に対する意識を幼少期から高めることができる。
【００８８】
なお、上述した構成の耳パッド５０は、以下のように適宜変更して実施することもできる。
【００８９】
・耳パッド５０は、支持板５１に対してグラフィックシール５７が固着される態様であってもよい。また、グラフィックシールを割愛するとともに、支持板５１の左側面５１Ｆに模様が直接形成されている態様であってもよい。
・支持板５１に対してグラフィックシール５７が付け替え可能であれば、支持板５１の表面粗さ及び材質、グラフィックシール５７のシール台紙及び粘着材は、上述したものに限られるものではなく、例えば支持板５１であれば左側面５１Ｆに十点平均粗さＲｚ＝５０μｍを超えるような凹凸が形成されていてもよい。
・支持板５１は、収容部５２が割愛された構成であってもよい。
・帽体は、頭部に被せるものであればよく、例えば布製の作業用帽子であってもよい。
【００９０】
（他の実施形態）
ところで、例えば自転車を運転して目的地に到着したあと、着用していたヘルメットを持ち歩くことは非常に面倒である。そのため、ヘルメットの盗難を防ぐべく、例えばワイヤーロックを用いてヘルメットが自転車に施錠されることが好ましい。しかしながら、ワイヤーロックでヘルメットを施錠する場合、ワイヤーロックは耳紐を通されることになる。耳紐は例えばカッターや鋏などで切断することが可能であるため、ヘルメットがいとも簡単に盗まれてしまう虞がある。そのため、ワイヤーロックが通される箇所に高い機械的強度を有するヘルメットが強く望まれていた。
【００９１】
まず、この実施形態にて把握される技術的思想について以下に付記する。
［付記６］
頭部を保護する帽体であって、
帽体本体の開口側の縁に設けられ施錠具が挿通される挿通孔と、
前記挿通孔を囲むように配設され前記帽体本体よりも機械的強度が高い補強部材と
を有する
ことを特徴とする帽体。
【００９２】
上記構成によれば、施錠具として例えばワイヤーロックを挿通孔に挿通させることにより、該ワイヤーロックを用いて帽体を施錠することができる。また、補強部材によって挿通孔の周辺における機械的強度を高められている。そのため、帽体が盗難されにくくなる。
［付記７］
前記帽体本体の外表面には、前記開口に連なる凹部が設けられており、
前記補強部材は、
前記帽体本体の外側に配置される外側補強板と、
前記帽体本体の内側に配置される内側補強板と、
前記外側補強板と前記内側補強板とを連結する連結板と
で構成され、
前記外側補強板が、前記凹部に収容される
付記６に記載の帽体。
【００９３】
上記構成によれば、帽体本体の外表面から補強部材がはみ出すことがない。そのため、補強部材に何かが引っ掛かって帽体本体との固着部に余計な負荷が作用することもない。［付記８］
前記凹部は、前記開口側よりも帽体頂部側が幅広である
付記７に記載の帽体。
【００９４】
上記構成によれば、上記開口に連なる部分を通して補強部材を帽体本体から引き抜こうとしても、補強部材と凹部の内側面とが係合するため帽体本体から補強部材を外れにくくすることができる。
【００９５】
なお、本実施形態において、上記帽体本体は、殻体１２に相当する。
図２に示されるように、ヘルメット１０の背面側には施錠部６０が設けられている。施錠部６０は、殻体１２の開口側の縁であって、帽体１１を背面側から見たときにおける左右方向の中心付近に設けられている。施錠部６０は、殻体１２に嵌め込まれた補強部材６１を該殻体１２に固着させたものである。施錠部６０には、殻体１２及び補強部材６１を貫通してワイヤーロックが挿通される鍵孔６２が形成されている。なお、衝撃吸収ライナー１３には、ワイヤーロックの挿通の障害にならないように、施錠部６０に対応する位置に切り欠きが設けられている。すなわち、ヘルメット１０は、この施錠部６０に設けられた鍵孔６２に挿通されるワイヤーロックによって施錠される。
【００９６】
補強部材６１は、耐衝撃性が比較的高いポリカーボネートで成形されている。図１３に示されるように、補強部材６１は、殻体１２の外側に配置される外側補強板６３と、殻体１２の内側に配置される内側補強板６４と、外側補強板６３と内側補強板６４とを連結する連結板６５とで構成されている。外側補強板６３は、基端部よりも先端部の方が幅広となるように形成されている。また外側補強板６３と内側補強板６４とには、上記鍵孔６２を構成する貫通孔６３ｈと貫通孔６４ｈが形成されている。
【００９７】
一方、殻体１２には、補強部材６１の外側補強板６３が嵌め込まれる凹部１２Ｃが形成されている。凹部１２Ｃの底面には、上記鍵孔６２を構成する貫通孔１２ｈが形成されている。また凹部１２Ｃは、外側補強板６３と同様に、その幅が殻体１２の縁側よりも頂上側の方が幅広となるように形成され、その深さが外側補強板６３の厚さと等しくなるように形成されている。この外側補強板６３における左右方向の外形は、殻体１２のキャラクターライン７０に沿って形成されている。キャラクターライン７０とは、殻体１２の表面である曲面を定義するときに用いられる曲線のことであって、殻体１２の曲面形状を特徴付けるものである。こうしたキャラクターライン７０は、例えば、前後方向に配列された通気孔１２ａを結ぶラインとして視認することが可能である。なお、本実施形態における一対のキャラクターライン７０は、殻体１２の正面中央から殻体１２の頂部に向けて互いの間隔が広がるように形成され、また、殻体１２の頂部から殻体１２の背面中央に向けて互いの間隔が狭くなるように形成されている。キャラクターライン７０は、ヘルメット１０の意匠性を考慮して配置されるものであるため、外側補強板６３の外形を当該キャラクターラインに基づいたかたちとすることで施錠部６０、ひいてはヘルメット１０の意匠性を高めることができる。
【００９８】
そして、この凹部１２Ｃに補強部材６１の外側補強板６３が嵌め込まれた状態で該補強部材６１が殻体１２に固着されることにより施錠部６０が形成される。こうした施錠部６０においては、殻体１２が比較的機械的強度の弱いＡＢＳ樹脂で成形されていたとしても、補強部材６１によって鍵孔６２付近における機械的強度が高められることから、鍵孔６
２に通されたワイヤーロックを無理矢理外すことが困難となる。それゆえに、ヘルメット１０の盗難を防止することができる。
【００９９】
また、施錠部６０の機械的強度を補強部材６１で補強すること、すなわち殻体１２の外側に配置される外側補強板６３を有する補強部材６１を施錠部６０に配設することによって、施錠部６０を視認した者に対して、施錠部６０が機械的強度の高められている箇所であるという印象を与えることができる。そして、殻体１２と補強部材６１とを異なる色で構成することにより上記印象をさらに強く与えることができる。これにより、窃盗犯の盗難意欲を減退させることができる。
【０１００】
また、殻体１２の凹部１２Ｃに補強部材６１の外側補強板６３が嵌め込まれたとしても、外側補強板６３が凹部１２Ｃに収容されることから、殻体１２の外表面から補強部材６１が突出することもない。これにより、補強部材６１に何かが引っ掛かって殻体１２との固着部に余計な負荷が作用することもない。
【０１０１】
また、補強部材６１は先端部にいくほど幅広に形成されており、殻体１２の凹部１２Ｃも同様に頂部に向かうに従って幅広となるように形成されている。こうした構成であれば、補強部材６１が下方に引っ張られたとしても、補強部材６１の先端部と殻体１２の凹部１２Ｃとが係合することから、補強部材６１を外れにくくすることができる。
【０１０２】
しかも、上述した施錠部６０を背面側に設けることによって、例えば壁に設けられたフックなどにヘルメット１０を見栄えよく掛けることも可能である。
こうした構成の施錠部６０によれば、以下に列挙する効果が得られるようになる。
【０１０３】
（１）ヘルメット１０には、施錠部６０が帽体１１の開口側の縁に設けられている。この施錠部６０においては、帽体１１に設けられた鍵孔６２を取り囲むように補強部材６１が設けられている。こうした構成によれば、補強部材６１によって鍵孔６２付近の機械的強度が高められていることから、その鍵孔６２を用いてヘルメット１０を施錠することにより、該ヘルメット１０が盗難されにくくなる。
【０１０４】
（２）補強部材６１は、殻体１２の外側に配置される外側補強板６３と、殻体１２の内側に配置される内側補強板６４と、外側補強板６３と内側補強板６４とを連結する連結板６５とで構成される。施錠部６０は、殻体１２に設けられた凹部１２Ｃに補強部材６１の外側補強板６３が嵌め込まれた状態で、補強部材６１が殻体１２に固着されることで構成される。こうした構成によれば、鍵孔６２付近における施錠部６０の機械的強度を殻体１２の外側及び内側の両方で高めることができる。そのため、その鍵孔６２を用いてヘルメット１０を施錠することにより、該ヘルメット１０の盗難をより高い確率の下で回避することができる。
【０１０５】
（３）施錠部６０は、殻体１２の外側に配置される外側補強板６３を有する補強部材６１によって機械的強度が高められている。こうした構成によれば、施錠部６０を視認した者に対して、該施錠部６０が機械的強度の高められている箇所であるという印象を与えることができる。これにより、窃盗犯の盗難意欲を減退させることができる。
【０１０６】
（４）殻体１２と補強部材６１とを異なる色にすることによって、上記印象をさらに強く与えることができる。これにより、窃盗犯の盗難意欲をさらに減退させることができる。
【０１０７】
（５）補強部材６１の外側補強板６３は、基端部から先端部にかけて幅広となるように形成されている。また、凹部１２Ｃも、開口側の縁から頂部側にいくに従って幅広となる
ように形成されている。こうした構成であれば、外側補強板６３と殻体１２の凹部１２Ｃとが係合することから、補強部材６１を殻体１２から引き抜くことが困難になる。
【０１０８】
（６）殻体１２の凹部１２Ｃの深さは、補強部材６１の外側補強板６３の厚さと等しくなるように形成されている。こうした構成によれば、殻体１２の外表面から補強部材６１が突出することもない。これにより、補強部材６１に何かが引っ掛かることで殻体１２と補強部材６１との固着部に余計な負荷が作用することもない。すなわち、殻体１２と補強部材６１との固着状態をより長い期間保持することができる。
【０１０９】
なお、上述した施錠部６０は、以下のように適宜変更して実施することもできる。
・殻体１２の凹部１２Ｃの深さは、補強部材６１の外側補強板６３の厚さより大きくてもよいし、小さくてもよい。
【０１１０】
・殻体１２は、凹部１２Ｃが割愛された構成であってもよい。
・補強部材６１の外側補強板６３の形状は、例えば、基端部から先端部にかけて幅狭となる形状であってもよいし、基端部から先端部にかけて一旦幅広になったあとで幅狭となる形状であってもよい。
【０１１１】
・殻体１２と補強部材６１とが同じ色であってもよい。
・補強部材６１は、殻体１２の内側に配置される内側補強板６４のみで構成されていてもよい。
【０１１２】
・帽体は、頭部に被せるものであればよく、例えば布製の作業用帽子であってもよい。
【産業上の利用可能性】
【０１１３】
本発明に係る帽体用顎紐連結構造は、帽体を顎紐で保持するものに対して適用可能である。
【符号の説明】
【０１１４】
１０…ヘルメット、１１…帽体、１２…殻体、１２Ｃ…凹部、１３…衝撃吸収ライナー、１３Ｃ…凹部、１５…保持紐、１６Ｌ…左側耳紐、１６Ｒ…右側耳紐、１７…顎紐、１８…連結部材、１９…留め具、２０…バックル、２１…支持プレート、２２…基部、２２ａ…引き出し孔、２２Ｆ…左側面、２３…連結部、２３ａ…折り返し孔、２３ｂ…出入孔、２４…支持部、２５…支持孔、２６…操作レバー、２７…操作部、２７Ａ…回転軸、２８…押圧部、２８ａ…押圧歯、２８Ｆ…押圧面、３０…バイザー、３１…鍔、３２…差込帯、３３…取り付け部、３４…規制爪、３５…係止爪、３５Ｄ，３５Ｕ…傾斜部、３６…差込溝、３７…係合片、３８…側壁、３９…対向壁、３９Ｓ…傾斜、５０…耳パッド、５１…支持板、５２…収容部、５３…雌ボタン、５４…雄ボタン、５６…保温材、５７…グラフィックシール、６０…施錠部、６１…補強部材、６２…鍵孔、６３…外側補強板、６４…内側補強板、６５…連結板。
【図１】
2012102436.tif 000003
【図２】
2012102436.tif 000004
【図３】
2012102436.tif 000005
【図４】
2012102436.tif 000006
【図５】
2012102436.tif 000007
【図６】
2012102436.tif 000008
【図７】
2012102436.tif 000009
【図８】
2012102436.tif 000010
【図９】
2012102436.tif 000011
【図１０】
2012102436.tif 000012
【図１１】
2012102436.tif 000013
【図１２】
2012102436.tif 000014
【図１３】
2012102436.tif 000015